(57)【要約】      （修正有）【課題】ロープの固定位置にて吊り高さが異なるネットをスムーズに昇降可能とし、昇降装置の数も減らす昇降装置を提供する。【解決手段】ケージ室内空間を仕切るネット６と、屋根または天井から吊り降ろした複数のロープ８ａ〜８ｄをドラム１１に巻取り、ロープの巻き上げ又は送り出しを通じてネットを昇降するウインチとを具備し、前記ウインチのドラムはその直径が複数段階に異なり、起伏を有する地面に着地可能なネットの全体に間隔を隔てて配設した複数のロープの端部をネットの下端に固定し、ネットの吊り高さが同じとなる複数本のロープを１本に繋ぎ、ネットの吊り高さに応じて１本に繋いだロープの複数本を、ネットの吊り高さが高い順に、ウインチのドラムの直径の大きい方から小さい方に繋ぎ、ドラムを回転して全てのロープを巻き上げ又は送り出し、ネットを均等に昇降する。【選択図】図１
0003168883.tif 000002
【実用新案登録請求の範囲】
【請求項１】
屋根または天井に吊り下げられ、起伏を有する地面と屋根または天井との間に形成されるケージ室内空間を仕切る仕切りネットと、屋根または天井から吊り降ろした複数の昇降ロープをドラムに巻取り、昇降ロープの巻き上げ又は送り出しを通じて仕切りネットを昇降するウインチとを具備した仕切りネットの昇降装置であって、
前記ウインチのドラムはその直径が複数段階に異なり、
起伏を有する地面に着地可能な仕切りネットの全体に間隔を隔てて配設した複数の昇降ロープの端部を該仕切りネットの下端に固定し、
前記仕切りネットの下端を地面に沿わせて着地させた位置でのネットの吊り高さが同じとなる複数本の昇降ロープを１本に繋ぎ、
ネットの吊り高さに応じて１本に繋いだ前記昇降ロープの複数本を、前記仕切りネットの下端を地面に沿わせて着地させた位置でのネットの吊り高さが高い順に、前記ウインチのドラムの直径の大きい方から小さい方に繋ぎ、
ドラムを回転して全ての昇降ロープを巻き上げ又は送り出し、ネットを均等に昇降することを特徴とする、
仕切りネットの昇降装置。
【請求項２】
前記したネットに対して交差する方向に伸びる縦断ネットを配し、
昇降装置によって昇降可能としたことを特徴とする
請求項１記載の仕切りネットの昇降装置。
【考案の詳細な説明】
【技術分野】
【０００１】
本考案は、鳥類や小動物を、飼育や管理するためのケージなどにおいて、そのケージ内などの空間を仕切るためのネットの昇降装置に関するものである。
【背景技術】
【０００２】
希少動物や希少鳥種を人工的飼育する際に、その生育環境を出来る限り自然条件に近づけ、その動物たちがやがて自立して自然界で生存できるように、営巣、育雛、繁殖、飛行や天敵回避などの訓練を行い、最終的にその動物たちを自然に返すという試みが行われている。
実際は、金網によって周囲を覆った大型のケージなどの中に、自然を模した樹木、水場や岩場などの様々な環境を造り、その中で動物たちが様々な体験や訓練を積めるようにして、飼育するものである。
【０００３】
このような自然を模したケージの中でも、その訓練レベルに応じて、複数の空間に分けて異なる段階の動物たちを飼育する必要が生じることがある。
例えば、鳥の場合、まだ巣の外に出ることも困難な雛の段階と、飛行訓練の段階に成長した鳥とでは、成育空間を異ならせることが必要な場合がある。
【０００４】
このような空間を仕切るために、ネットを仕切りとして使用し、仕切りの必要な場合は降ろして空間を仕切り、仕切りが不要で、大きな空間としてケージ内を使用するときは、ネットを上げることが考えられる。
ネットを昇降する場合、そのネットの幅方向全長に渡って均等に引き上げることが、ネットが絡まずに引き上げるために必要である。
【０００５】
しかしながら、そのような動物などの飼育を行うためのケージは、舞台などで使用される幕（緞帳）とは異なり、その空間内に自然を模した山や谷などを備えるため、内部空間の場所、場所において、その天井や屋根から、地面までの高さが異なることがある。
つまりは、ネットの高さも地形などの場所場所によって異なり、そのネットを引き上げるためのロープの長さも異なることになる。
前記したようにネットを均等に引き上げるためには、異なる長さのロープを巻き上げる必要があり、長さの異なるロープを巻き取ってネットの幅方向全長を均等に引き上げるために、ひとつの直径のドラムに巻き取るのでは、全体を均等に巻き上げることは不可能である。
異なる長さのロープを巻き上げるためには、複数の巻き取りドラムを使用して、別個に巻き取る必要があり、巻き取り機の台数が多くなっていた。
【先行技術文献】
【特許文献】
【０００６】
【特許文献１】特開２０００−３１２７８１号公報
【考案の概要】
【考案が解決しようとする課題】
【０００７】
解決しようとする課題は、巻き取るロープの長さが異なっても、ネット全体を均等に引き上げることが可能であるとともに、ロープを巻き取ってネットを昇降する昇降装置の台数を少なくすることである。
【課題を解決するための手段】
【０００８】
本考案にかかる仕切りネットの昇降装置は、屋根または天井に吊り下げられ、起伏を有する地面と屋根または天井との間に形成されるケージ室内空間を仕切る仕切りネットと、屋根または天井から吊り降ろした複数の昇降ロープをドラムに巻取り、昇降ロープの巻き上げ又は送り出しを通じて仕切りネットを昇降するウインチとを具備した仕切りネットの昇降装置であって、前記ウインチのドラムはその直径が複数段階に異なり、起伏を有する地面に着地可能な仕切りネットの全体に間隔を隔てて配設した複数の昇降ロープの端部を該仕切りネットの下端に固定し、前記仕切りネットの下端を地面に沿わせて着地させた位置でのネットの吊り高さが同じとなる複数本の昇降ロープを１本に繋ぎ、ネットの吊り高さに応じて１本に繋いだ前記昇降ロープの複数本を、前記仕切りネットの下端を地面に沿わせて着地させた位置でのネットの吊り高さが高い順に、前記ウインチのドラムの直径の大きい方から小さい方に繋ぎ、ドラムを回転して全ての昇降ロープを巻き上げ又は送り出し、ネットを均等に昇降することを特徴とする。
前記したネットに対して交差する方向に伸びる縦断ネットを配し、昇降装置によって昇降可能とすることも可能である。
【考案の効果】
【０００９】
本考案は以下の効果を得ることができる。
＜ａ＞起伏を有する地面に着地可能な仕切りネットの全体に間隔を隔てて配設した複数の昇降ロープの端部を該仕切りネットの下端に固定し、前記仕切りネットの下端を地面に沿わせて着地させた位置でのネットの吊り高さが同じとなる複数本の昇降ロープを１本に繋げたため、巻き上げるロープの数が減り、昇降装置として構成が簡易となる。
＜ｂ＞ウインチのドラムの直径を複数段階に異ならせ、ネットの吊り高さに応じて１本に繋いだ前記昇降ロープの複数本を、仕切りネットの下端を地面に沿わせて着地させた位置でのネットの吊り高さが高い順に、ウインチのドラムの直径の大きい方から小さい方に繋ぎ、ドラムを回転して全ての昇降ロープを巻き上げ又は送り出し、ネットを均等に昇降するようにしたのでスムーズなネットの昇降が可能となる。
＜ｃ＞複数本のロープをひとつの昇降装置によって巻き上げ・送り出しが可能であって、昇降装置の数を減らすことが可能となる。
＜ｄ＞空間を仕切るネットに対し、その交差する方向にも縦断ネットを昇降可能とすることで、ネットで仕切った空間を更に小さく仕切ることが可能となる。
【図面の簡単な説明】
【００１０】
【図１】ウインチとロープを連結する概念図である。
【図２】ケージの斜視図である。
【図３】ウインチの斜視図である。
【図４】ロープの連結を示す概念図である。
【考案を実施するための形態】
【００１１】
以下に図面を参照しながら本考案に係る実施例について詳しく説明する。
【００１２】
＜１＞ケージ
図２に示すのは、希少鳥種を飼育するためのケージ１の全体図であって、型鋼によって枠組みした屋根部３、前後４・４面、左右５・５面に、ひし形金網２が張ってある。
ケージ１は、左右端部側が盛り上がった地形の上に建築されており、屋根部分も左右端部側が傾斜している。
従って、ケージ１の地形から屋根までの高さは、その左右中間部分と、左右端部側では、異なっており、左右端部側でも、そのより端部側へ行くにつれて、徐々に高さが低くなっている。
このようなケージ１の内部空間が、前後に適宜間隔離れた位置で、左右に横断する起伏を有する地面に着地可能なネット６によって仕切ることが可能となっている。
実施例では三枚のネット６が昇降可能となって、ケージ１内の空間を四つに仕切ることが可能となっている。
ネット６としては、合成樹脂製の網材などが使用可能である。
【００１３】
＜２＞ロープ
ネット６は、屋根部３に左右方向に渡した屋根材である型鋼から吊り下ろしてあり、ケージ１の外部に配置したウインチ７から伸ばした複数本のロープ８によって、昇降可能となっている。
ロープ８としては、合成樹脂繊維を撚ったものや、金属製のワイヤロープなど広く採用できる。
各ロープ８は、屋根部３から吊り下ろされ、ネット６の下端部に、その先端が縛りつけられるなどして固定されている。
ロープ８の下端部より上は、ネット６の網目に所々通されて、ネット６とは固定されていない。
或いは、ロープ８を、ネット６に上下に適宜間隔づつ離して固定した金属製リングや紐状リングに通すなどしてもよい。
ネット６の吊り高さは、前記したように左右方向での位置によって、その吊り高さが異なっており、従って、昇降するロープ８の長さによって、その巻き取る長さも異なる。
図１に示すように、ネット６の中間部分が最もその吊り高さ（引き上げる長さ）が高く、最も長くした４本のロープ８ａが屋根部３から下ろされて、ネット６の下端部に固定されている。
その中間部分から左右に行くに従い、ネット６の吊り高さは徐々に低くなっており、８ｂ、８ｃ、８ｄの順に、その長さが短くなっている。
【００１４】
＜３＞ロープの連結
上記したロープ８のうち、巻き上げる長さ、つまりはネット６に連結された位置でのネット６の吊り高さが同じロープ８を一体に繋ぐ。
中間部分の４本のロープ８ａは、ネット６の最も高い部分を巻き取るロープ８であって、それらの巻き取る長さが同じであって、これらを図１に示すように、１本に繋ぐ。
ロープ８のうち、中間部分から徐々に左右に行くにつれて、ロープ８ｂとロープ８ｂは、その昇降するために巻き取る長さが同じであり、ロープ８ｃとロープ８ｃ、ロープ８ｄとロープ８ｄも同様である。
これら巻き取る長さが同じロープ８を、それぞれ図１に示すように繋いで１本に連結する。
【００１５】
＜４＞ウインチ
ウインチ７は、モーター９によって回転する回転軸１０外周にドラム１１を有しており、そのドラム１１の直径は、複数段階に異ならせてある。
実施例では、ロープ８の巻き取る長さが４段階に異なっているため、ドラム１１の直径は、４段階となっている。
４段階のドラム１１ａ、１１ｂ、１１ｃ、１１ｄの直径の比は、引き上げるネット６に固定したロープ８ａ、８ｂ、８ｃ、８ｄの巻き取る長さの比と同じにする。
ロープ８のうち、巻き取る長さが最も長いロープ８ａは、ドラム１１のうち、その最も径の大きなドラム１１ａに繋ぎ、巻き取る長さが短くなるにつれてロープ８ｂ、８ｃ、８ｄは、順に径の小さなドラム１１ｂ、１１ｃ、１１ｄに繋ぐ。
この概念図を図１に示す。
ウインチ７は、電動モーター９を使用せずに、手動であってもよい。
【００１６】
＜５＞縦断ネット
上記したネット６は、ケージ１を左右方向に横断して空間を仕切るものであるが、このネット６と交差する方向、すなわちケージ１を前後に縦断する方向にもネット１２を昇降して、仕切った空間を更に仕切ることがある。
この縦断ネット１２は、この実施例では、ケージ１の前後方向では吊り高さが同じであるため、縦断ネット１２に繋いだ３本のロープ８ｅの長さは全て同じである。
この３本のロープ８ｅを１本に繋いで、単一の直径を有する手動ウインチ１３に連結する。
以上説明したロープ８ａ〜８ｅのウインチ７・１３への連結状態の概念図を、図４に示す。
【００１７】
＜６＞ネットの昇降
モーター９を駆動して、ロープ８を巻き取る、或いは送り出す。
ロープ８ａ〜８ｄは、その巻き取る長さの長い順に、直径の大きなものから小さなドラム１１ａ〜１１ｄに繋いであり、同じ回転数でも、大きな直径のドラム１１は、ロープ８を多く巻き取り、小さな直径のドラム１１はロープ８を少しづつ巻き取るため、ネット６の左右方向全長が、その吊り高さに応じて均等に昇降することになる。
ロープ８の下端がネット６の下端部にのみ固定してあるため、ネット６は、巻き取るというより、たくし上げるように引き上げる。
ネット６が均等に昇降するため、ネット６がからまず、スムーズな昇降が可能である。
【００１８】
＜７＞縦断ネットの昇降
縦断ネット１２はウインチ１３を使用して、昇降する。
前記したネット６の左右端と、ケージ１の左右面５・５とは、紐を網目に通して上下方向に縫うようにする、或いは一方に取付けておいた紐を他方に結ぶなどして、両者の間に隙間が生じないようにする。
ネット６と縦断ネット１２も、紐を両者の網目に通して上下方向に縫うようにする、或いは一方に取付けておいた紐を他方に結びつけるなどして、両者の間に隙間が生じないようにする。
【符号の説明】
【００１９】
１：ケージ
６：ネット
７：ウインチ
８：ロープ
９：モーター
１１：ドラム
【図１】
0003168883.tif 000003
【図２】
0003168883.tif 000004
【図３】
0003168883.tif 000005
【図４】
0003168883.tif 000006